(57)【特許請求の範囲】
【請求項１】
内部に物品を収納可能な本体と、
前記本体に設けられ、前記本体を板状の被取付部材に取り付けるためのフックと、を備え、
前記フックは、被取付部材の先端が突き当たる屈曲部と、前記屈曲部に連設され前記本体とで被取付部材を挟持する係合部とを有し、
前記屈曲部は、前記本体の上端部に接続されており、前記屈曲部の折り返し位置が、前記本体の上下方向と直交する幅方向において、前記本体の外側に位置しており、
前記係合部は、被取付部材の上面と当接する先端部を有し、前記係合部の先端部には、前記屈曲部側を向く突起が設けられている、フック付き物品収納具。
【請求項２】
前記係合部は、その先端に位置する先端部が前記本体の幅方向の中央位置よりも前記屈曲部側に位置している、請求項１に記載のフック付き物品収納具。
【請求項３】
前記本体は、偏平状に形成されるとともに、少なくとも上端部の上端面が平坦面に形成され、
前記屈曲部は、前記本体の上端部に接続される接続部を有し、前記接続部は、前記本体の上端部の上端面と面一になるように形成されている、請求項１または２に記載のフック付き物品収納具。
【請求項４】
前記係合部は、前記本体に向けて下方に傾斜している、請求項１〜３のいずれかに記載のフック付き物品収納具。
【請求項５】
前記屈曲部は、湾曲状に折り返す円弧状面を備えている、請求項１〜４のいずれかに記載のフック付き物品収納具。
【請求項６】
前記係合部の先端部および前記突起の少なくとも一方は、被取付部材と当接する下端部が凸形状に形成されている、請求項１〜５のいずれかに記載のフック付き物品収納具。
【請求項７】
前記本体は、表枠体と裏枠体とからなり、前記表枠体および前記裏枠体を開閉させることで、物品を両面から挟んで収納するように構成されており、
前記フックが前記表枠体または前記裏枠体のいずれか一方に設けられている、請求項１〜６のいずれかに記載のフック付き物品収納具。
【発明の詳細な説明】
【技術分野】
【０００１】
本発明は、薬剤（例えば消臭剤、脱臭剤、防虫剤）などの物品を収納した本体と、前記本体を冷蔵庫、洋服ダンス、クローゼット、靴箱などの棚板やドアポケットなどの板状の被取付部材に取り付けるためのフックとを備えたフック付き物品収納具に関するものである。
【背景技術】
【０００２】
この種のフック付き物品収納具としては、例えば特許文献１に記載のものが提案されている。特許文献１に記載のものは、図１６に示すように、物品として防虫剤を収納する本体１００に、洋服ダンスやクローゼットの棚板１１０に本体１００を吊り下げるためのフック１０１が一体に設けられており、フック１０１の上腕片１０２と支持片１０３とで棚板１１０を挟むことで、本体１００が棚板１１０に取り付けられる。しかしながら、この特許文献１に記載のものでは、棚板１１０の先端が突き当たるフック１０１の折り返し位置Ｒが、本体１００の幅方向の略中央に位置している。よって、本体１００が棚板１１０に取り付けられた時、本体１００の一部分が棚板１１０の外側に突き出てしまい、この突出部分が洋服ダンスなどを使用する場合に邪魔になるという問題がある。
【０００３】
そこで、フック１０１の折り返し位置Ｒを本体１００の幅方向一端に位置させたフック付き物品収納具が提案されている（例えば、特許文献２を参照）。特許文献２に記載のものでは、図１７に示すように、フック１０１は、棚板１１０の先端が突き当たる屈曲部１０４の折り返し位置Ｒが本体１００の幅方向一端に位置しているとともに、先端部１０５が本体１００の幅方向他端まで延びている。本体１００は、フック１０１の先端部１０５と下部分１０６とで棚板１１０を挟むことで、棚板１００に対して奥深く位置するように取り付けられる。よって、本体１００が棚板１１０の外側に突き出るのが防止されている。
【先行技術文献】
【特許文献】
【０００４】
【特許文献１】特開２００３−２６７４６６号公報
【特許文献２】実開昭６０−１７７０３０号公報
【発明の概要】
【発明が解決しようとする課題】
【０００５】
しかしながら、特許文献２に記載のものでは、フック１０１の先端部１０５が本体１００の幅方向他端まで延びているので、棚板１１０への取り付け時にフック１０１が棚板１１０の奥に入り込む。そのため、棚板１１０上に収容物を載置する際にフック１０１が邪魔になるという問題がある。一方で、フック１０１の先端部１０５までの長さを短くすると、フック１０１による棚板１１０に対する挟持範囲が狭くなる（フック１０１により挟持する棚板１１０の先端からの距離が短くなる）ために、本体１００が棚板１１０から簡単に脱落するおそれがあるという問題がある。
【０００６】
本発明は、上記問題に着目してなされたものであり、本体が棚板などの被取付部材に取り付けられた時に被取付部材の外側に突き出ることがないうえ、フックの先端部が被取付部材の奥に入り込むことのないフック付き物品収納具を提供することを目的とする。また、冷蔵庫などに設けられる棚板は、その先端が単なる平坦な板状ではなく、棚板上に載置された収容物が棚板から転落するのを防止するために、その先端の上面が隆起した形状になっているのが一般的である。よって、このような棚板などの先端の形状によらずに、本体を棚板などにしっかりと取り付けることができるフック付き物品収納具を提供することも本発明の目的とする。
【課題を解決するための手段】
【０００７】
本発明の上記目的は、内部に物品を収納可能な本体と、 前記本体に設けられ、前記本体を板状の被取付部材に取り付けるためのフックと、を備え、 前記フックは、被取付部材の先端が突き当たる屈曲部と、前記屈曲部に連設され前記本体とで被取付部材を挟持する係合部とを有し、 前記屈曲部は、前記本体の上端部に接続されており、前記屈曲部の折り返し位置が、前記本体の上下方向と直交する幅方向において、前記本体の外側に位置しており、前記係合部は、被取付部材の上面と当接する先端部を有し、前記係合部の先端部には、前記屈曲部側を向く突起が設けられている、フック付き物品収納具によって達成される。
【０００８】
本発明の好ましい実施態様においては、前記係合部は、その先端に位置する先端部が前記本体の幅方向の中央位置よりも前記屈曲部側に位置していることを特徴としている。
【０００９】
本発明のさらに好ましい実施態様においては、前記本体は、偏平状に形成されるとともに、少なくとも上端部の上端面が平坦面に形成され、前記屈曲部は、前記本体の前記上端部に接続される接続部を有し、前記接続部は、前記本体の前記上端部の上端面と面一になるように形成されていることを特徴としている。
【００１０】
本発明のさらに好ましい実施態様においては、前記屈曲部は、湾曲状に折り返す円弧状面を備えていることを特徴としている。
【００１１】
本発明のさらに好ましい実施態様においては、前記係合部は、前記本体に向けて下方に傾斜していることを特徴としている。
【００１２】
本発明のさらに好ましい実施態様においては、前記係合部の先端部には、前記屈曲部側を向く突起が設けられていることを特徴としている。
【００１３】
本発明のさらに好ましい実施態様においては、前記係合部の先端部および前記突起の少なくとも一方は、被取付部材と当接する下端部が凸形状に形成されていることを特徴としている。
【００１４】
本発明のさらに好ましい実施態様においては、前記本体は、表枠体と裏枠体とからなり、前記表枠体および前記裏枠体を開閉させることで、物品を両面から挟んで収納するように構成されており、前記フックが前記表枠体または前記裏枠体のいずれか一方に設けられていることを特徴としている。
【発明の効果】
【００１５】
本発明に係るフック付き物品収納具によると、板状の被取付部材の先端が突き当たる屈曲部の折り返し位置が、物品を収納する本体の幅方向外側に位置しているので、被取付部材への取り付け時に、本体が被取付部材の外側に突き出ることを防止できる。よって、冷蔵庫などに使用する場合、被取付部材に取り付けられた本体が邪魔になることがない。そのうえ、フックが被取付部材の奥に入り込むことを防止できるので、例えば被取付部材上に収容物を載置する際にフックが邪魔になることも防止できる。さらに、フックの係合部を本体に向けて下方に傾斜するように形成したり、屈曲部の折り返し位置付近を円弧状面に形成したりすることにより、被取付部材の先端の形状によらずに、本体を被取付部材にしっかりと取り付けることが可能になる。
【図面の簡単な説明】
【００１６】
【図１】本発明の一実施形態に係るフック付き物品収納具の正面図である。
【図２】図１の右側面図である。
【図３】図１のフック付き物品収納具の本体を開いた状態を示す斜視図である。
【図４】図３の正面図である。
【図５】図３の背面図である。
【図６】図３の平面図である。
【図７】図３の底面図である。
【図８】図３の右側面図である。
【図９】図３の左側面図である。
【図１０】図１のフック付き物品収納具の使用状態を示す説明図である。
【図１１】図１のフック付き物品収納具の使用状態を示す説明図である。
【図１２】本発明の他の実施形態に係るフック付き物品収納具の正面図である。
【図１３】図１のフック付き物品収納具の配置方法を示す説明図である。
【図１４】図１のフック付き物品収納具の配置方法を示す説明図である。
【図１５】図１のフック付き物品収納具の配置方法を示す説明図である。
【図１６】従来例のフック付き物品収納具の使用状態を示す説明図である。
【図１７】従来例のフック付き物品収納具の使用状態を示す説明図である。
【発明を実施するための形態】
【００１７】
以下、本発明の実態形態について添付図面を参照して説明する。図１および図２は、本発明の一実施形態に係るフック付き物品収納具１を示しており、図３〜図９は、図１および図２のフック付き物品収納具１の本体２を展開した状態を示している。フック付き物品収納具１は、例えば、冷蔵庫、洋服ダンス、クローゼット、靴箱などに設けられた水平な棚板や垂直なドアポケットなどの板状の被取付部材に取り付けられることで、内部に収納した物品を、冷蔵庫、洋服ダンス、クローゼット、靴箱などに常駐させるものである。なお、以下の説明では、図１０や図１１の使用状態図で示すように、鉤状のフック３が縦向きとなる方向（つまりは、鉤状に折れ曲がるフック３の対向する一対の腕部３２，３３が上下に配置される方向）を上下方向としており、さらに、本体２を下にしてフック３を用いて棚板１０に吊下状態で取り付ける例を想定し、図１，１０，１１に示すＸＹ方向を上下方向（本体２における高さ方向）、ＶＷ方向を前後方向（本体２における幅方向）、奥行き方向を左右方向（本体２における厚み方向）、と定義している。
【００１８】
フック付き物品収納具１は、内部に物品（図示せず）を収納可能な本体２と、本体２に一体に設けられた鉤状のフック３とからなり、プラスチック成形品で構成されている。本体２は、正面視において外形が略長方形状に形成されているとともに、厚みが薄い偏平状に形成されており、内部にシート状の物品を収納可能な収納空間を有している。なお、本体２の正面視形状は、略長方形状や略正方形状などの略矩形状の他、少なくとも上端部に左右一対の角部を有していて上端面が水平な平坦面となっている形状であれば種々の形状を採用することができる。また、本体２の正面視形状は、上記した上端部に左右一対の角部を有する形状が好ましいが、これ以外にも、円形状や楕円形状などの角部を有していないような形状であっても構わない。
【００１９】
収納される物品は、シート状のものであり、例えば、脱臭剤や消臭剤の他、衣料用などの防虫剤、除湿剤、または芳香剤など、種々の薬剤を例示することができる。また、本体２は必ずしも偏平状である必要はなく、例えば本体２を籠状とすることで、薬剤の他にも種々の物品を収納することもできる。本実施形態では、シート状物品として脱臭剤・消臭剤を本体２内に収納し、冷蔵庫や靴箱内の脱臭や消臭のために、フック付き物品収納具１を、例えば冷蔵庫や靴箱の棚板１０に取り付ける場合を説明している。脱臭剤・消臭剤としては、消臭機能を有する微粒子活性炭をパルプ繊維と混合して紙の中に抄き込んだ活性炭シート（例えば特開平９−１７３４２９号公報参照）を好ましく例示することができる。なお、防虫剤を本体２内に収納して洋服ダンスやクローゼットの棚板１０に取り付けることもできる。
【００２０】
本実施形態の本体２は、ヒンジ部２２を介して開閉可能に連結された正面視略長方形状の表枠体２０および裏枠体２１で構成されており、シート状物品を両枠体２０，２１の間に挟んで収納するように構成されている。裏枠体２１の内面には、図３および図４に示すように、その四隅部に、シート状物品の位置決めのための縦向きおよび横向きの突片２４Ａ，２４Ｂが設けられている。また、表枠体２０および裏枠体２１の内面には、それぞれ嵌合用のピン２５および嵌合孔２６が設けられているとともに、表枠体２０および裏枠体２１の周枠２０Ａ，２１Ａにも、図３および図４に示すように、それぞれ嵌合用の凹部２７および凸部２８が設けられている。この嵌合孔２６および凹部２７に対応するピン２５および凸部２８をそれぞれ差し込んで嵌合することにより、両枠体２０，２１が固定される。
【００２１】
このように、本実施形態の本体２は、図３および図４に示すように、表枠体２０と裏枠体２１とを広げた状態で、裏枠体２１内にシート状物品をセットした後、ヒンジ部２２を介して表枠体２０を折り曲げ、両枠体２０，２１を重ね合わせて嵌合固定することで、シート状物品が本体２内に収納される。よって、本体２の開閉が自在であるため、シート状物品の交換を容易に行うことができる。なお、本体２内にシート状物品を収納するための構造は、何も上記した構造のものに限られるものではなく、種々の構造を採用することができ、例えば、本体２のいずれかの端面から本体２内にシート状物品を差し込むように構成してもよい。
【００２２】
表枠体２０および裏枠体２１には、多数の通気孔２３が形成されており、本体２内外が多数の通気孔２３を介して連通している。また、本体２の高さ方向および幅方向の端面にもスリット２９（図２参照）が形成されており、本体２内外を連通している。この通気孔２３およびスリット２９により、収納されている物品が脱臭剤・消臭剤の場合には、脱臭・消臭機能を効率よく発揮させることができ、防虫剤の場合には、防虫剤を効率よく揮散させることができる。なお、表枠体２０および裏枠体２１に形成された多数の通気孔２３は、図示例ではデザイン的な模様を形成するように大小に形作られて配置されているが、この通気孔２３の形状および配置は任意でよいことは言うまでもない。
【００２３】
フック３は、表枠体２０または裏枠体２１のいずれか一方にのみに設けられており、本実施形態では、裏枠体２１の上端部の後方側の角部（上端面と後端面との交差位置）２１Ｂに一体に設けられている。フック３は、冷蔵庫などの水平な棚板１０などに本体２を取り付けるためのものであり、棚板１０への取り付け時に棚板１０の先端が突き当たる屈曲部３０と、本体２とで棚板１０を挟持する係合部３１とを有している。
【００２４】
屈曲部３０は、略Ｕ状に形成されており、上腕部３２と下腕部３３とを備えている。下腕部３３は、本体２に接続する接続部３４を有しており、接続部３４は、裏枠体２１の上端部の後方角部２１Ｂから外側（後側）に、その表面が本体２の上端部の表面（上端面）と面一になるように延びている。屈曲部３０の折り返し位置Ｒは、本体２の幅方向外側（後側）に最も突き出た端部（後端部）２Ａよりも外側に位置しており、屈曲部３０は本体２の幅方向外側に張り出している。これにより、本体２の棚板１０への取り付け時に、本体２は棚板１０の内側に納まって、本体２が棚板１０の外側に突き出るのが防止される。なお、本体２の外形によっては、例えば、本体２の一部分のみが本体２の幅方向外側に大きく突出しているなど、本体２の外形が異形な場合には、本体２の大部分が屈曲部３０の折り返し位置Ｒの内側に存在していればよく、本体２の全体が必ずしも屈曲部３０の折り返し位置Ｒの内側に存在している必要はない。
【００２５】
屈曲部３０の折り返し位置Ｒは、滑らかに湾曲して折り返す円弧状面３７に形成されている。なお、折り返し位置Ｒは、必ずしも円弧状面３７に形成されている必要はなく、例えば、略垂直に立ち上がって折り返すような形状、または、係合部３１の先端部３１Ａの上下方向への移動を容易にするために凸凹状の蛇行部を設けた形状などであっても構わない。
【００２６】
上腕部３２は、屈曲部３０から裏枠体２１の上端部の後方角部２１Ｂの上方付近まで延び、係合部３１が連設されている。係合部３１は、その先端に先端部３１Ａが本体２に向けて延びており、本体２の幅方向の中央位置Ｌよりも屈曲部３０側に位置している。また、係合部３１は、本体２に向けて下方に傾斜して延びており、その先端部３１Ａと本体２の上端部との距離が狭く、棚板１０の厚みよりも小さく形成されている。係合部３１の先端部３１Ａと本体２の上端部との距離は、後述するように、使用用途に応じ、冷蔵庫、洋服ダンス、クローゼット、靴箱などの棚板１０の厚みを考慮して、フック３が適切な弾性力を有するように、適宜設定することができる。また、係合部３１は、水平面に対する傾斜角度α（図１に示す）が３０°〜５０°であることが好ましく、図示例では、およそ４０°となっている。
【００２７】
裏枠体２１には、屈曲部３０の下腕部３３（接続部３４も含む）を下方から支持する支持部３６が、裏枠体２１および下腕部３３と一体に設けられている。これにより、本体２を棚板１０に取り付ける際に、係合部３１の先端部３１Ａが上方に押し広げられる。しかしながら、屈曲部３０の下腕部３３が支持部３６により支持されているので、係合部３１が屈曲部３０の上腕部３２とともに適度に弾性変形する。その結果、弾性力により、係合部３１の先端部３１Ａと本体２の上端部との間で棚板１０を挟持するので、棚板１０に本体２を確実に固定することができる。
【００２８】
係合部３１の先端部３１Ａには、内向き（屈曲部３０側向き）の突起３５が一体に設けられている。冷蔵庫などに設けられる棚板１０は、その先端が単なる平坦な板状ではなく、棚板１０上に載置された収容物が棚板１０から転落するのを防止するため、図１０や図１１に示すように、その先端の上面が隆起した形状になっているのが一般的である。よって、係合部３１の先端部３１Ａに、内向きの突起３５を設けることで、棚板１０の先端の隆起部１１に係合部３１の先端部３１Ａを係止させることができ、棚板１０から本体２が脱落することを確実に防止することができる。
【００２９】
棚板１０の上面と当接し得る係合部３１の先端部３１Ａの下端部３１Ｂおよび突起３５の下端部３５Ａは、棚板１０の上面との接触面積が小さくなるように、凸形状に形成されていることが好ましい。凸形状としては、先の尖った山形状、先の丸い山形状、または台形状など、棚板１０の上面との接触面積が少しでも小さくなるのであれば、種々の形状を適用することができる。
【００３０】
次に、上記構成のフック付き物品収納具１を冷蔵庫などの棚板１０に取り付けるに際しては、まず、フック３の係合部３１の先端部３１Ａを上方に広げて、棚板１０を係合部３１と本体２の上端部との間に差し込む。そして、そのまま棚板１０の先端がフック３の屈曲部３０に突き当たるまで本体２を押し込むと、図１０に示すように、棚板１０が、係合部３１の弾性力により、本体２の上端部と係合部３１の先端部３１Ａとで挟持されるので、本体２が棚板１０にしっかりと固定された状態となる。
【００３１】
上記構成のフック付き物品収納具１によると、屈曲部３０の折り返し位置Ｒが本体２の幅方向において、本体２の外側に位置しているので、本体２を棚板１０へ取り付けると、本体２の全体が棚板１０の内側に納まる。よって、冷蔵庫などを使用する場合に、本体２が棚板１０の外側に突き出て、使用の邪魔になることが防止される。具体的には、例えば冷蔵庫の扉の開閉において、本体２が邪魔になることが防止される。
【００３２】
また、屈曲部３０の折り返し位置Ｒが本体２の外側に位置しているので、従来例（図１７）のように、フック１０１の屈曲部１０４の折り返し位置Ｒが本体１００の幅方向一端に位置している場合と比べて、棚板１０を挟持するフック３（係合部３１および上腕部３２）の腕の長さを長く確保することができる。その結果、フック３（係合部３１）の先端部３１Ａを、本体２の上端部の前方角部２１Ｃまで長く延ばさなくても、フック３による棚板１０の挟持範囲を確保することができる。よって、フック３（係合部３１）の先端部３１Ａを棚板１０の奥まで入り込ませる必要がなくなる。その結果、先端部３１Ａの位置を後方側に設定することができるため、棚板１０上に収容物を載置する際に、フック３が邪魔になることが防止される。なお、係合部３１の先端部３１Ａは、必ずしも本体２の幅方向の中央位置Ｌよりも屈曲部３０側に位置している必要はない。
【００３３】
また、係合部３１は、本体２に向けて下方に傾斜するように形成されているので、図１０に示すように、棚板１０の先端に隆起部１１が形成されている場合であっても、係合部３１の先端部３１Ａが、隆起部１１を上方から乗り越えて棚板１０の表面に当接する。よって、棚板１０の先端に隆起部１１が形成されていても、係合部３１は、本体２とで棚板１０を挟持することができる。これに対して、係合部３１が水平に延びている場合（上述した特許文献２のような場合）には、隆起部１１が邪魔になって、係合部３１の先端部３１Ａを棚板１０の表面に当接させることができないため、棚板１０を挟持することができない。
【００３４】
また、屈曲部３０は円弧状面３７を備えているので、例えば図１１のように、棚板１０の下面に凹部１２が形成されているような場合には、本体２は屈曲部３０の円弧状面３７に沿って回転して、本体２の上端部の前方角部２１Ｃが棚板１０と当接し、係合部３１の先端部３１Ａとの間で棚板１０を挟持することができる。このように、本実施形態のフック付き物品収納具１は、屈曲部３０が円弧状面３７を備えていることで、本体２の向きを自在に変化させることができるので、棚板１０の先端の形状によらずに本体２を棚板１０にしっかりと取り付けることができる。
【００３５】
また、係合部３１の先端部３１Ａには内向きの突起３５が設けられているので、突起３５が棚板１０の隆起部１１に確実に係止することで、本体２が棚板１０から脱落することを防止できる。
【００３６】
また、係合部３１の先端部３１Ａの下端部３１Ｂおよび突起３５の下端部３５Ａは凸形状に形成され、先が線状または幅狭な面状に形成されているので、棚板１０の上面と当接する際に、棚板１０の上面に対して線接触または狭い範囲で面接触する。従って、突起３５と棚板１０との摩擦が低減されるので、棚板１０に取り付けられた状態において、フック付き物品収納具１を棚板１０の左右方向に容易に移動させることができる。
【００３７】
また、本体２は、開閉自在な表枠体２０および裏枠体２１により構成されているので、収納するシート状物品の交換が容易である。そのうえ、フック３は、表枠体２０または裏枠体２１の一方（本実施形態では裏枠体２１）にのみ設けられているため、表枠体２０および裏枠体２１の両方にそれぞれフックを構成する半割体が設けられていて、両枠体２０，２１を重ね合わせて各半割体を合体させることで、フックを形成する場合と比べて、フック３の成形が容易であるうえ、フック３の性能を確実に発揮させることができる。例えば、フックを各半割体で構成する場合には、成形の際に半割体が左右非対称となると、フックとして機能せず、また、本実施形態のように単一のユニットからなるフック３と比べると、柔軟性が損なわれるため、弾性力が低下するおそれがある。
【００３８】
以上、本発明の実施形態について説明したが、本発明はこれらに限定されるものではなく、本発明の趣旨を逸脱しない限りにおいて種々の変更が可能である。例えば、本実施形態では、フック３が屈曲部３０（上腕部３２、下腕部３３、接続部３４）および係合部３１に区分けされているが、これらが境界などで明確に区分けされている必要はない。また、本実施形態では、本体２を下にして、フック３により本体２を棚板１０に吊り下げるようにして取り付けているが、本体２を上にして、本体２を棚板１０上に載置させるようにして棚板１０に取り付けるようにしてもよい。本体２は薄く偏平状であるので、単に棚板１０上に偏平状の本体２を載置させただけでは、容易に本体２が転倒してしまうが、本実施形態では、フック３と本体２とで棚板１０を挟持しているので、本体２が転倒することなく棚板１０上に確実に載置させることができる。
【００３９】
また、本実施形態の物品収納具１は水平な棚板１０だけでなく、例えば冷蔵庫のドアポケットなどの垂直な板状の被取付部材に対しても、本体２を９０度回転させてフック３をドアポケットに上方から係合させることで、本体２を簡単に取り付けることができる。
【００４０】
また、本実施形態では、本体２は垂直な縦向きの状態でフック３により被取付部材（棚板１０など）に取り付けられるが、図１２に示すように、横倒しの状態の本体２にフック３を一体に設けることで、本体２を水平な横向きの状態でフック３により被取付部材（棚板１０など）に取り付けるように構成してもよい。
【００４１】
図１３〜図１５は、本発明に係るフック付き物品収納具１を複数（図示例では２つ）用いて、例えば冷蔵庫や靴箱などに収容されている収容物Ｍに対して脱臭・消臭を行う方法の一例を示している。図１３では、同じ棚板１０にフック付き物品収納具１を２つ、脱臭・消臭対象となる収容物Ｍを左右両サイドから囲むようにして取り付けることで、収容物Ｍに対する脱臭・消臭機能を向上させている。図１３（Ａ）においては、収容物Ｍが載置されている棚板１０よりも一段上方に位置する棚板１０に、フック３により本体２を棚板１０に吊り下げるようにして、フック付き物品収納具１を２つ取り付けている一方で、図１３（Ｂ）においては、収容物Ｍが載置されている棚板１０に、フック３により本体２を棚板１０上に載置させるようにして、フック付き物品収納具１を２つ取り付けている。また、図１４では、収容物Ｍに対してフック付き物品収納具１を対角に取り付けて、収容物Ｍを囲むことで、収容物Ｍに対する脱臭・消臭機能を向上させている。図１４においては、収容物Ｍが載置されている棚板１０よりも一段上方に位置する棚板１０に、フック３により本体２を棚板１０に吊り下げるようにして、フック付き物品収納具１を１つ取り付けている一方で、収容物Ｍが載置されている棚板１０に、フック３により本体２を棚板１０上に載置させるようにして、フック付き物品収納具１を１つ取り付けている。また、図１５では、収容物Ｍに対してフック付き物品収納具１を上下に取り付けて、収容物Ｍを囲むことで、収容物Ｍに対する脱臭・消臭機能を向上させている。図１５においては、収容物Ｍが載置されている棚板１０よりも一段上方に位置する棚板１０に、フック３により本体２を棚板１０に吊り下げるようにして、フック付き物品収納具１を１つ取り付けている一方で、収容物Ｍが載置されている棚板１０よりも一段下方に位置する棚板１０に、フック３により本体２を棚板１０上に載置させるようにして、フック付き物品収納具１を１つ取り付けている。
【００４２】
このように、脱臭・消臭対象となる収容物Ｍに対して上下、左右、対角に位置するように、冷蔵庫などの棚板１に対して複数のフック付き物品収納具１を自在に取り付けることで、収容物Ｍをフック付き物品収納具１により囲むことができるので、効果的に収容物Ｍに対する脱臭・消臭を行うことができる。なお、フック付き物品収納具１の収容物Ｍに対する配置方法は、何も図示例のものに限定されるものではなく、種々の方法でフック付き物品収納具１を配置することができるのは言うまでもない。例えば、上記した例では、１つの収容物Ｍを囲むようにしてフック付き物品収納具１を配置しているが、フック付き物品収納具１を棚板１０の左右両端に配置して棚板１０上の全ての収容物Ｍを複数のフック付き物品収納具１で囲んだり、あるいは、冷蔵庫や靴箱の対角位置（四隅）や上下左右の十字位置にフック付き物品収納具１を配置して、冷蔵庫や靴箱内の全ての収容物Ｍを複数のフック付き物品収納具１で囲むことで、冷蔵庫や靴箱全体を消臭・脱臭するようにしてもよい。また、収容物Ｍの収容配置の仕方によっては、フック付き物品収納具１を棚板１０に対して容易に左右に移動させることができるので、フック付き物品収納具１の配置箇所を簡単に変更することもできる。
【００４３】
また、冷蔵庫などのドアポケットに対して、フック付き物品収納具１を取り付ける方法を組み合わせることにより、物品Ｍに対する脱臭・消臭機能を向上させることも可能である。さらに、上記した本体２が垂直な縦向きの状態のフック付き物品収納具１だけでなく、図１２に示すような、本体２が水平な横向きの状態のフック付き物品収納具１を組み合わせることにより、バリエーションに富んだフック付き物品収納具１による消臭・脱臭方法を実現することができる。
【符号の説明】
【００４４】
１    フック付き物品収納具
２    本体
３    フック
１０  棚板
２０  表枠体
２１  裏枠体
３０  屈曲部
３１  係合部
３１Ａ  係合部の先端部
３４  接続部
３５  突起
３７  円弧状面
Ｒ    折り返し位置
【図１】
0006016443.tif 000002
【図２】
0006016443.tif 000003
【図３】
0006016443.tif 000004
【図４】
0006016443.tif 000005
【図５】
0006016443.tif 000006
【図６】
0006016443.tif 000007
【図７】
0006016443.tif 000008
【図８】
0006016443.tif 000009
【図９】
0006016443.tif 000010
【図１０】
0006016443.tif 000011
【図１１】
0006016443.tif 000012
【図１２】
0006016443.tif 000013
【図１３】
0006016443.tif 000014
【図１４】
0006016443.tif 000015
【図１５】
0006016443.tif 000016
【図１６】
0006016443.tif 000017
【図１７】
0006016443.tif 000018